(57)【要約】【課題】印刷回路基板を堅固に固定させる構造を有する液晶表示装置を得る。【解決手段】液晶表示パネルと、印刷回路基板と、前記液晶表示パネルを支持し、前記印刷回路基板が固定されるガイドパネルとを備え、前記ガイドパネルは、前記印刷回路基板の少なくとも一側を把持するリブを有する。【選択図】図５
2006251807.tif 000002
【特許請求の範囲】
【請求項１】
液晶表示パネルと、
印刷回路基板と、
前記液晶表示パネルを支持し、前記印刷回路基板が固定されるガイドパネルとを備え、
前記ガイドパネルは、前記印刷回路基板の少なくとも一側を把持するリブを有することを特徴とする液晶表示装置。
【請求項２】
前記印刷回路基板と前記液晶表示パネルとを連結するテープキャリアパッケージをさらに備えることを特徴とする請求項１に記載の液晶表示装置。
【請求項３】
前記リブは、前記テープキャリアパッケージの両側をガイドする二つのリブを備えることを特徴とする請求項２に記載の液晶表示装置。
【請求項４】
前記リブは、末端に行くほど薄くなることを特徴とする請求項１に記載の液晶表示装置。
【請求項５】
前記リブは、弾性部材を通じてヒンジ状に前記ガイドパネルに締結されることを特徴とする請求項１に記載の液晶表示装置。
【請求項６】
前記リブは、前記印刷回路基板の上側を把持する少なくとも一つの上側のリブと、前記印刷回路基板の下側を把持する少なくとも一つの下側のリブとを有することを特徴とする請求項１に記載の液晶表示装置。
【請求項７】
前記印刷回路基板と前記液晶表示パネルとを連結するテープキャリアパッケージをさらに備えることを特徴とする請求項６に記載の液晶表示装置。
【請求項８】
前記上側のリブは、前記テープキャリアパッケージの両側をガイドする二つのリブを備えることを特徴とする請求項７に記載の液晶表示装置。
【請求項９】
前記下側のリブは、上端に行くほど薄くなり、外側に片寄ることを特徴とする請求項６に記載の液晶表示装置。
【請求項１０】
前記上側のリブは、弾性部材を通じてヒンジ状に前記ガイドパネルに締結されることを特徴とする請求項６に記載の液晶表示装置。
【請求項１１】
前記下側のリブは、弾性部材を通じてヒンジ状に前記ガイドパネルに締結されることを特徴とする請求項６に記載の液晶表示装置。
【発明の詳細な説明】
【技術分野】
【０００１】
本発明は、液晶表示装置に関し、特に印刷回路基板を堅固に固定させる構造を有する液晶表示装置に関する。
【背景技術】
【０００２】
一般的に、液晶表示装置（Liquid Crystal Display ;ＬＣＤ）は映像信号に対応するように光ビームの透過量を調節することにより画像を表示する代表的な平板表示装置である。特に、液晶表示装置は、軽量化、薄型化、低消費電力駆動等の特徴により、その応用範囲が益々広がりつつある。このような趨勢に従い、ＬＣＤは事務自動化(Office Automation)装置およびノートブックコンピューターの表示装置として適用されている。このようなＬＣＤは、最近の工程技術の発展と駆動回路技術の発展により大画面化、高精細化、低消費電力化に発展しつつある。
【０００３】
このような液晶表示装置としては、非晶質シリコンや多結晶シリコンを用いた薄膜トランジスタ(Thin Film Transistor ;ＴＦＴ)をスイッチング素子として用いているアクティブマトリクス(Active Matrix)状の薄膜トランジスタ液晶表示装置が挙げられる。
【０００４】
一方、液晶モジュール(Liquid Crystal Module)は、液晶表示パネル、液晶表示パネルの駆動回路、バックライトユニット、印刷回路基板(Printed circuit Board ;以下、ＰＣＢと称す)が複数の機構物として組み立てられたものを意味する。
【０００５】
液晶表示パネルの駆動回路、即ち、データドライブＩＣ(Intergrated Circuit)およびゲートドライブＩＣは、テープキャリアパッケージ(Tape Carrier Package ;以下、ＴＣＰと称す)上に実装され、各々のＴＣＰは、液晶表示パネルの信号入力パッドに自身の出力パッドが電気的に接続され、ＰＣＢの出力パッドに自身の入力パッドが電気的に接続される。
【０００６】
図１は、液晶モジュールを示す斜視図である。
図１を参照すると、液晶モジュールは、画像を具現する液晶表示パネル２と、ＰＣＢ２０と、ＰＣＢ２０と液晶表示パネル２に付着されたＴＣＰ２２と、ＰＣＢ２０と液晶表示パネル２を支持するためのガイドパネル４および液晶表示パネル２に光を照射するバックライトユニット１０を備える。
ガイドパネル４は、液晶表示パネル２の縁部を支持し、ＰＣＢ２０が固定される。
【０００７】
図２のように、ガイドパネル４の側面には、ＰＣＢ２０を固定するための複数の突起１５が形成され、ＰＣＢ２０には突起１５に挿入できるホール１８が形成される。ＰＣＢ２０をガイドパネル４に固定するためにＴＣＰ２２を曲げＰＣＢ２０をガイドパネル４の側面に対向させた後、ガイドパネル４の突起１５をＰＣＢ２０に形成されたホール１８に挿入する。
【０００８】
ところで、図２において、液晶表示パネル２が矢印の方向に流動すると、その液晶表示パネル２に沿ってＴＣＰ２２が流動し、その結果、ＰＣＢ２０が突起１５から分離されガイドパネル４から離脱される。
【０００９】
このようなＰＣＢ２０の離脱は、ＰＣＢ２０と他の周辺装置の間に摩擦を起こし、ＰＣＢ２０の損傷を招来する問題点を起こしている。このような問題点を解決するため、図３に示したように、粘着材が塗布されているシリコンパッド２５を用いてＰＣＢ２０をガイドパネル４に接着する方法が提案されたことがある。しかし、シリコンパッド２５は、時間が経つに連れ、その粘着材が硬化し、接着力が低下してしまう。また、シリコンパッド２５を加えると、材料費の上昇と工程が追加し、生産費の増加を誘発するというもう一つの問題点がある。
【発明の開示】
【発明が解決しようとする課題】
【００１０】
従って、本発明は印刷回路基板を堅固に固定させるようにした液晶表示装置を提供することにある。
【課題を解決するための手段】
【００１１】
前記目的を達成するために、本発明に係る液晶表示装置は、液晶表示パネルと、印刷回路基板と、前記液晶表示パネルを支持し、前記印刷回路基板が固定されるガイドパネルとを備え、前記ガイドパネルは、前記印刷回路基板の少なくとも一側を把持するリブを有することを特徴とする。
【発明の効果】
【００１２】
本発明に係る液晶表示装置は、ガイドパネルのリブにより、液晶表示パネルが流動してもガイドパネルから印刷回路基板が離脱される現象を防ぐことができ、更に印刷回路基板とガイドパネルとの組み立てを容易にすることができる。
【発明を実施するための最良の形態】
【００１３】
前記目的の他、本発明の他の目的および特徴は添付した図面を参照した実施の形態についての説明を通じて明らかに表れる。
【００１４】
以下、図４ないし図１０を参照し、本発明の好ましい実施の形態について説明する。
【００１５】
図４は、本発明の実施の形態に係る液晶表示装置を示す図面である。
図４を参照すると、本発明に係る液晶表示装置は、画像が示される液晶表示パネル１０２、ＰＣＢ１２０、ＰＣＢ１２０から発生した信号を液晶表示パネル１０２に伝達するＴＣＰ１２２、液晶表示パネル１０２に光を照射するバックライトユニットと、液晶表示パネル１０２とＰＣＢ１２０を支持するガイドパネル１０４と、液晶表示パネル１０２とガイドパネル１０４の縁部を保護するトップケース１２６を備える。
【００１６】
液晶表示パネル１０２は、上部ガラス基板と下部ガラス基板との間に液晶セルがアクティブマトリクス（Active Matrix）状に配列されると共に、液晶セルの各々には、ビデオ信号を切り替えするための薄膜トランジスタ(Thin Film Transistor)が形成される。液晶セルの各々の屈折率がビデオ信号に応じて変わることにより、ビデオ信号に当たる画像が示される。
【００１７】
このような液晶表示パネル１０２の下部基板上には、ドライブＩＣが実装されているテープキャリアパッケージ(Tape Carrier Package)が付着される。尚、液晶表示パネル１０２の前面および背面には線偏光をフィルタリングするための偏光シート１０８、１１８が各々設けられる。
【００１８】
バックライトユニットは、液晶表示パネル１０２の下に配置され、交流駆動信号に応じて発光する複数のランプ１３６、ランプ１３６が受容され、底面に反射板１１４が付着されるボトムカバー１１６、ランプ１３６が受容されたボトムカバー１１６を覆う拡散板１１２、拡散板１１２と液晶表示パネル１０２との間に積層される複数の光学シート１１０を備える。
【００１９】
拡散板１１２は、ランプ１３６から入射される光を拡散させ、光学シート１１０は、少なくとも一枚のプリズムシートと少なくとも一枚の拡散シートとを含み、液晶表示パネル１０２に入射される光の均一度と効率を増加させる。
【００２０】
図５ないし図７は、本発明の実施の形態に係るガイドパネル１０４を詳細に示す図面である。図５ないし図７を参照すると、ガイドパネル１０４の外側面はＰＣＢ１２０が受納される第１溝１５２が形成される。そして、ガイドパネル１０４の上段の隅部あたりで、上面と側面には二つの上側のリブ１４０が形成され、ガイドパネル１０４の下段には少なくとも一つ以上の下側のリブ１８０が形成される。
【００２１】
上側のリブ１４０の各々はＰＣＢ１２０を把持するための一対のリブを各々含む。二つの上側のリブ１４０の間にはＰＣＢ１２０に連結されるＴＣＰ１２２が置かれる第２溝１５４が設けられる。
【００２２】
二つの上側のリブ１４０は、曲がるＦＰＣ１２２の両側を安定にガイドすると共に、ガイドパネル１０４の側面に対向するＰＣＢ１２０の上段をガイドパネル１０４に固定する役割をする。
【００２３】
上側のリブ１４０の各々は、図７のように、ガイドパネル１０４の上面から所定の高さに突出されている第１および第２突起１４２、１４４と、第１および第２突起１４２、１４４の角の末端で９００折られ、ガイドパネル１０４の側面と対向する第３および第４突起１４６、１４８とを含む。
【００２４】
上側のリブ１４０と下側のリブ１８０は、互いに対向する位置に１：１にガイドパネル１０４に配置することができ、またジグザグ状に配置することができる。
【００２５】
ガイドパネル１０４の側面の上段と下段には、所定の厚さに突出されているＰＣＢ支持板１４９が形成される。ＰＣＢ支持板１４９の各々は、ＰＣＢの厚さ以上のギャップを介して上側のリブ１４０と下側のリブ１８０から離隔される。
【００２６】
図８のように、上側のＰＣＢ支持板１４９と上側のリブ１４０の第３および第４突起１４６、１４８の間の空間と、下側のＰＣＢ支持板１４９と下側のリブ１８０の間の空間でＰＣＢ１２０がガイドパネル１０４の側面に密着される。
【００２７】
一方、下側のリブ１８０は、図９のように、四角形の突起、三角形の突起または円形の突起等の多様な形態に製作することができ、上側のリブ１４０も多様な形態に製作することができる。
【００２８】
下側のリブ１８０は、ＰＣＢ１２０とガイドパネル１０４が容易に組み立てられるように外側に片寄り、上方に行くほど薄く形成することができ、図１０のように、リングスプリング、板スプリング、Ｖ字形スプリング等の弾性部材を含み、ヒンジ状に回動できるようにガイドパネル１０４に設置することができる。また、上側のリブ１４０は、ＰＣＢ１２０とガイドパネル１０４との組み立てが容易になるようにヒンジ状に回動可能にガイドパネル１０４に設置することができる。
【００２９】
このような構造を有する本発明の実施の形態に係るガイドパネル１０４の上側および下側のリブ１４０、１８０により、図２の矢印の方向に液晶表示装置１０２が流動してもガイドパネル１０４からＰＣＢ１２０が離脱することはない。換言すると、本発明の実施の形態に係るガイドパネルは、シリコンパッドのような別の部品がなくてもＰＣＢ１２０をガイドパネル１０４の側面に固定することができる。
【００３０】
尚、本発明の実施の形態に係るガイドパネルの上側のリブ１４０および／または下側のリブ１８０は、ヒンジ状に回動可能にガイドパネル１０４に設置されるため、ＰＣＢ１２０とガイドパネル１０４との組み立ての時に外側に回動し、ＰＣＢ１２０とガイドパネル１０４との組み立てを容易にすることができる。
【００３１】
以上、説明した内容を通じて、当業者であれば本発明の技術思想を逸脱しない範囲内で種々なる変更および修正が可能であることが分かる。従って、本発明の技術的範囲は、明細書の詳細な説明に記載した内容に限定されるものではなく、特許請求の範囲により定めなければならない。
【図面の簡単な説明】
【００３２】
【図１】液晶表示装置を示す図面である。
【図２】ＰＣＢとガイドパネルとの固定構成を示す図面である。
【図３】接着性のシリコンパッドを用いたＰＣＢの固定構造を示す図面である。
【図４】本発明の実施の形態に係る液晶表示装置を示す図面である。
【図５】図４のガイドパネルを詳細に示す図面である。
【図６】図５のＰＣＢ固定構造の他の配列を示す図面である。
【図７】上側のリブを拡大して示す斜視図である。
【図８】ガイドパネルに固定されている印刷回路基板を示す断面図である。
【図９】下側のリブの多様な実施の形態を示す斜視図である。
【図１０】下側のリブの回動を示す斜視図である。
【符号の説明】
【００３３】
２、１０２：液晶パネル
４、１０４：ガイドパネル
２０、１２０：ＰＣＢ
２２、１２２：ＴＣＰ
１４０：上側のリブ
１８０：下側のリブ
【図１】
2006251807.tif 000003
【図２】
2006251807.tif 000004
【図３】
2006251807.tif 000005
【図４】
2006251807.tif 000006
【図５】
2006251807.tif 000007
【図６】
2006251807.tif 000008
【図７】
2006251807.tif 000009
【図８】
2006251807.tif 000010
【図９】
2006251807.tif 000011
【図１０】
2006251807.tif 000012